(57)【要約】【課題】  ディフューザにおける失速限界を低流量側に拡げることができるとともに、広い流量範囲にわたって安定して運転でき、かつ効率低下を最小限におさえることのできる遠心式流体機械を提供することを目的とする。【解決手段】  複数枚のブレード、およびこれら複数枚のブレードの根元部に配置されるハブを有するインペラと、前記インペラの下流側に設けられるとともに、対向するシュラウド壁面２２およびハブ側壁面との間に複数枚のベーン２４を有するディフューザ２１とを具備する遠心式流体機械であって、前記シュラウド側壁面２２および前記ハブ側壁面のうち、少なくとも一方の壁面に、前記ベーン２４の半径方向内側面２４ａから前記ディフューザ２１の半径方向内側に向かうとともに、前記ベーン２４の半径方向内側面２４ａに対して略垂直方向に延在する少なくとも一本の溝２５，２５ａが設けられていることを特徴とする。【選択図】  図１
2005226568.tif 000002
【特許請求の範囲】
【請求項１】
複数枚のブレード、およびこれら複数枚のブレードの根元部に配置されるハブを有するインペラと、
前記インペラの下流側に設けられるとともに、対向するシュラウド壁面およびハブ側壁面との間に複数枚のベーンを有するディフューザとを具備する遠心式流体機械であって、
前記シュラウド側壁面および前記ハブ側壁面のうち、少なくとも一方の壁面に、前記ベーンの半径方向内側面から前記ディフューザの半径方向内側に向かうとともに、前記ベーンの半径方向内側面に対して略垂直方向に延在する少なくとも一本の溝が設けられていることを特徴とする遠心式流体機械。
【請求項２】
前記溝が、前記ベーンの前縁部に形成される最低圧力部よりも下流側で、かつスロートよりも上流側に設けられていることを特徴とする請求項１に記載の遠心式流体機械。
【請求項３】
前記溝の半径方向内側の一端が、前記ベーンの前縁間を結ぶとともに前記インペラの回転軸線から等しい距離に位置する線よりも半径方向外側に位置するように設けられていることを特徴とする請求項１または２に記載の遠心式流体機械。
【請求項４】
前記溝の深さがそれぞれ、前記ベーンの前縁から後縁に向かって漸次浅くなるように形成されていることを特徴とする請求項１から３のいずれか一項に記載の遠心式流体機械。
【請求項５】
前記ベーンの半径方向内側面の近傍に滞留する流体を前記溝に導くための第２の溝が、前記ベーンの半径方向内側面に少なくとも一本設けられていることを特徴とする請求項１から４のいずれか一項に記載の遠心式流体機械。
【請求項６】
インペラの下流側に設けられるとともに、対向するシュラウド壁面およびハブ側壁面との間に複数枚のベーンを有するディフューザであって、
前記シュラウド側壁面および前記ハブ側壁面のうち、少なくとも一方の壁面に、前記ベーンの半径方向内側面から当該ディフューザの半径方向内側に向かうとともに、前記ベーンの半径方向内側面に対して略垂直方向に延在する少なくとも一本の溝が設けられていることを特徴とするディフューザ。
【請求項７】
前記溝が、前記ベーンの前縁部に形成される最低圧力部よりも下流側で、かつスロートよりも上流側に設けられていることを特徴とする請求項６に記載のディフューザ。
【請求項８】
前記溝の半径方向内側の一端が、前記ベーンの前縁間を結ぶとともに前記インペラの回転軸線から等しい距離に位置する線よりも半径方向外側に位置するように設けられていることを特徴とする請求項７または８に記載のディフューザ。
【請求項９】
前記溝の深さがそれぞれ、前記ベーンの前縁から後縁に向かって漸次浅くなるように形成されていることを特徴とする請求項６から８のいずれか一項に記載のディフューザ。
【請求項１０】
前記ベーンの半径方向内側面の近傍に滞留する流体を前記溝に導くための第２の溝が、前記ベーンの半径方向内側面に少なくとも一本設けられていることを特徴とする請求項６から９のいずれか一項に記載のディフューザ。
【発明の詳細な説明】
【技術分野】
【０００１】
本発明は遠心式流体機械、特に舶用過給機、自動車用過給機、航空用ガスタービンなどに用いられる遠心圧縮機に関するものである。
【背景技術】
【０００２】
従来の遠心圧縮機としては、ディフューザの対向する壁面（シュラウド壁面およびハブ側壁面）に、複数の溝を放射状に有したものがある（たとえば、特許文献１参照）。
【特許文献１】特許第３２２５１９７号公報（図１）
【発明の開示】
【発明が解決しようとする課題】
【０００３】
この特許文献１に記載された発明は、ディフューザの対向する壁面に、複数の溝を放射状に形成し、この溝の内部に半径方向の圧力勾配により内向きの流れを誘起させ、その分だけ主流の流量を増加させて、高流量時と同様な流れを実現することによりディフューザの失速を抑制しようとしたものである。
しかしながら、特許文献１に記載された発明では、遠心圧縮機に適用した場合には、ディフューザの失速をある程度低減させることができても、さらなる低減を図ることは不十分であり、また損失分が増加し効率が低下するという課題を有していた。
【０００４】
本発明は、上記の事情に鑑みてなされたもので、ディフューザにおける失速限界を低流量側に拡げることができるとともに、広い流量範囲にわたって安定して運転でき、かつ効率低下を最小限におさえることのできる遠心式流体機械を提供することを目的とする。
【課題を解決するための手段】
【０００５】
本発明は、上記課題を解決するため、以下の手段を採用した。
請求項１に記載の遠心式流体機械は、複数枚のブレード、およびこれら複数枚のブレードの根元部に配置されるハブを有するインペラと、前記インペラの下流側に設けられるとともに、対向するシュラウド壁面およびハブ側壁面との間に複数枚のベーンを有するディフューザとを具備する遠心式流体機械であって、前記シュラウド側壁面および前記ハブ側壁面のうち、少なくとも一方の壁面に、前記ベーンの半径方向内側面から前記ディフューザの半径方向内側に向かうとともに、前記ベーンの半径方向内側面に対して略垂直方向に延在する少なくとも一本の溝が設けられていることを特徴とする。
このような遠心式流体機械によれば、溝によりベーンの半径方向内側面からディフューザの半径方向内側に、すなわち、ベーンの半径方向内側面から離れていく方向に、言い換えれば、圧力の高い側から圧力の低い側に、圧力差による流体の流れが生じる。この圧力差による流体の流れは、ベーンの半径方向内側面から遠ざかっていく際、このベーンの半径方向内側面の近傍に滞留する流体を一緒に引き連れてベーンの半径方向内側面から遠ざかっていくこととなる。言い換えれば、溝内を通過する流体の流れによりベーンの半径方向内側面の近傍に滞留する流体が吸い出される（エジェクタ効果）ため、ベーンの半径方向内側面に形成された境界層の厚みが減少することになる。
【０００６】
請求項２に記載の遠心式流体機械は、前記溝が、前記ベーンの前縁部に形成される最低圧力部よりも下流側で、かつスロートよりも上流側に設けられていることを特徴とする。
このような遠心式流体機械によれば、境界層が形成されるとともに、ベーンの半径方向内側面からディフューザの半径方向内側に向かって圧力差による流れが生じる部分にのみ溝が形成されているので、主流がディフューザのベーン間を通過していくときの運動エネルギーの損失が抑制される。
【０００７】
請求項３に記載の遠心式流体機械は、前記溝の半径方向内側の一端が、前記ベーンの前縁間を結ぶとともに前記インペラの回転軸線から等しい距離に位置する線よりも半径方向外側に位置するように設けられていることを特徴とする。
このような遠心式流体機械によれば、ディフューザの入口端からベーン前縁までの間には溝が形成されていないので、主流がディフューザのベーン間を通過していくときの運動エネルギーの損失がさらに抑制される。
したがって、特に圧縮性流体（たとえば、空気）を圧縮する圧縮機の場合に有効である。
【０００８】
請求項４に記載の遠心式流体機械は、前記溝の深さがそれぞれ、前記ベーンの前縁から後縁に向かって漸次浅くなるように形成されていることを特徴とする。
このような遠心式流体機械によれば、溝の内部に入り込んだ主流は、溝の下流側の壁面と鋭角的に衝突した後、当該溝の外に出ていくこととなる。
【０００９】
請求項５に記載の遠心式流体機械は、前記ベーンの半径方向内側面の近傍に滞留する流体を前記溝に導くための第２の溝が、前記ベーンの半径方向内側面に少なくとも一本設けられていることを特徴とする。
このような遠心式流体機械によれば、ベーンの半径方向内側面の近傍、特にベーンの高さ方向において中央部に滞留する流体が、第２の溝を通って溝の方に導かれるようになっている。
【００１０】
請求項６に記載のディフューザは、インペラの下流側に設けられるとともに、対向するシュラウド壁面およびハブ側壁面との間に複数枚のベーンを有するディフューザであって、前記シュラウド側壁面および前記ハブ側壁面のうち、少なくとも一方の壁面に、前記ベーンの半径方向内側面から当該ディフューザの半径方向内側に向かうとともに、前記ベーンの半径方向内側面に対して略垂直方向に延在する少なくとも一本の溝が設けられていることを特徴とする。
このようなディフューザによれば、溝によりベーンの半径方向内側面からディフューザの半径方向内側に、すなわち、ベーンの半径方向内側面から離れていく方向に、言い換えれば、圧力の高い側から圧力の低い側に、圧力差による流体の流れが生じる。この圧力差による流体の流れは、ベーンの半径方向内側面から遠ざかっていく際、このベーンの半径方向内側面の近傍に滞留する流体を一緒に引き連れてベーンの半径方向内側面から遠ざかっていくこととなる。言い換えれば、溝内を通過する流体の流れによりベーンの半径方向内側面の近傍に滞留する流体が吸い出される（エジェクタ効果）ため、ベーンの半径方向内側面に形成された境界層の厚みが減少することになる。
【００１１】
請求項７に記載のディフューザは、前記溝が、前記ベーンの前縁部に形成される最低圧力部よりも下流側で、かつスロートよりも上流側に設けられていることを特徴とする。
このようなディフューザによれば、境界層が形成されるとともに、ベーンの半径方向内側面からディフューザの半径方向内側に向かって圧力差による流れが生じる部分にのみ溝が形成されているので、主流がディフューザのベーン間を通過していくときの運動エネルギーの損失が抑制される。
【００１２】
請求項８に記載のディフューザは、前記溝の半径方向内側の一端が、前記ベーンの前縁間を結ぶとともに前記インペラの回転軸線から等しい距離に位置する線よりも半径方向外側に位置するように設けられていることを特徴とする。
このようなディフューザによれば、ディフューザの入口端からベーン前縁までの間には溝が形成されていないので、主流がディフューザのベーン間を通過していくときの運動エネルギーの損失がさらに抑制される。
したがって、特に圧縮性流体（たとえば、空気）を圧縮する圧縮機に適用されても有効である。
【００１３】
請求項９に記載のディフューザは、前記溝の深さがそれぞれ、前記ベーンの前縁から後縁に向かって漸次浅くなるように形成されていることを特徴とする。
このようなディフューザによれば、溝の内部に入り込んだ主流は、溝の下流側の壁面と鋭角的に衝突した後、当該溝の外に出ていくこととなる。
【００１４】
請求項１０に記載のディフューザは、前記ベーンの半径方向内側面の近傍に滞留する流体を前記溝に導くための第２の溝が、前記ベーンの半径方向内側面に少なくとも一本設けられていることを特徴とする。
このようなディフューザによれば、ベーンの半径方向内側面の近傍、特にベーンの高さ方向において中央部に滞留する流体が、第２の溝を通って溝の方に導かれるようになっている。
【発明の効果】
【００１５】
本発明によれば、ディフューザにおける失速限界を低流量側に拡げることができるとともに、広い流量範囲にわたって安定して運転させることができる。
【発明を実施するための最良の形態】
【００１６】
以下、本発明による遠心式流体機械（以下、遠心圧縮機を例に挙げて説明する）の一実施形態について、図面を参照しながら説明する。
図５に示すように、遠心圧縮機１０は、インペラ１１と、ディフューザ２１とを主たる要素として構成されたものである。
インペラ１１は、複数枚のブレード１２と、これらブレード１２の根元部Ｒに配置されたハブ１３とを有するとともに、ブレード１２はそれぞれ、ハブ１３の小径側端部１３ａにその前縁ＬＥが位置するとともに、ハブ１３の大径側端部１３ｂにその後縁ＴＥが位置するようにハブ１３の表面上に設けられている。
なお、図において符号１４は、ブレード１２の先端側を覆うように配置されたシュラウドを示している。
【００１７】
ディフューザ２１は、前述したインペラ１１の下流側に設けられるとともに、対向するシュラウド壁面２２およびハブ側壁面２３との間に複数枚のベーン２４を有するものであり、インペラ１１を通過した流体の有する運動エネルギーを圧力エネルギーに変換するものである。
【００１８】
図１はハブ側壁面２３からシュラウド側壁面２２を見た図であり、ディフューザ２１の入り口部分を示す要部拡大平面図である。
本実施形態では、ハブ側壁面２３に比べて境界層の厚さが厚くなるシュラウド側壁面２２に、ベーン２４の半径方向内側面２４ａからディフューザ２１の半径方向内側に向かうとともに、ベーン２４の半径方向内側面２４ａに対して略垂直方向に延在する少なくとも一つの溝（本実施形態では７つの溝）２５が設けられている。
これら溝２５は、ベーン２４の前縁部、具体的にはベーン２４の前縁部に形成される最低圧力部（詳細については図３を用いて後述する）よりも下流側で、かつスロート２６よりも上流側に設けられている。
また、これら溝２５の半径方向内側の一端は、ベーン２４の前縁ＬＥ間を結ぶとともにインペラ１１の回転軸線Ｃ（図５参照）から等しい距離Ｒ１に位置する線Ｌ１よりも半径方向外側に位置するように設けられている。
【００１９】
図１に示すように、最も上流側に位置する溝２５ａを除くその他の溝２５はそれぞれ、その平面視形状において、ベーン２４の前縁ＬＥ１側（上流側）および後縁側（下流側）がそれぞれ直線状に形成されているとともに、前縁ＬＥ１側で形成される直線および後縁側で形成される直線が互いに平行となるように形成されている。
また、これら溝２５の前縁ＬＥ１側で形成される直線は、後縁側で形成される直線よりも長くなるように形成されているとともに、前縁ＬＥ１側で形成される直線の一端（ベーン２４の半径方向内側面２４ａとは反対側に位置する末端）と、後縁側で形成される直線の一端ともまた、直線で結ばれている。すなわち、最も上流側に位置する溝２５ａを除くその他の溝２５の平面視形状は、略台形状を呈しているとともに、これら溝２５の一端が形成する直線と、ベーン２４の半径方向内側面２４ａとの距離は、ベーン２４の上流側から下流側にかけて漸次短くなるように形成されている。
一方、最も上流側に位置する溝２５ａは、その平面視形状において、ベーン２４の前縁ＬＥ１側が直線状に形成されているとともに、全体として略三角形状を呈するように形成されている。
【００２０】
図２（ａ）は図１のＩＩ−ＩＩ矢視断面図であり、図２（ｂ）は図２（ａ）の円Ａで囲んだ部分を拡大した要部拡大断面図である。
図２に示すように、各溝２５，２５ａは、その断面視形状が三角形を有するように形成されており、θ１が６０度から９０度、θ２が１０度から４０度となるように設定されている。
また、これら溝２５，２５ａはそれぞれ、ベーン２４の半径方向内側面２４ａからディフューザ２１の半径方向内側にかけて（すなわち、ベーン２４の半径方向内側面２４ａから前縁ＬＥ１側で形成される直線の一端にかけて）漸次浅くなるように形成されている（図４参照）。
【００２１】
さてここで、図３を用いて、ベーン２４の前縁部に形成される最低圧力部よりも下流側にこれら溝２５，２５ａが設けられている理由、言い換えれば、ベーン２４の前縁部に形成される最低圧力部にはこれら溝２５，２５ａを設けないようにしている理由を説明する。
【００２２】
図３に示すように、たとえば矢印Ａｒのように、流体（たとえば、空気）がベーン２４の前縁ＬＥ１に向かって流れ込むとともに、ベーン２４間を通過して昇圧されていくとき、図中に破線で示すような等圧線が形成されることとなる。
等圧線は、ベーン２４の前縁部に形成されている略半円状の部分で圧力が最も低く（最低圧力部）、つぎに最も上流側に形成されている三角形状の部分が低く、あとは下流側に向かって漸次高くなるように形成されている。
最低圧力部は、ベーン２４の前縁ＬＥ１から翼ピッチ（一ベーン２４の前縁ＬＥ１とこの一ベーン２４に隣接して設けられた他ベーン２４の前縁ＬＥ１との間のピッチ）約１５％の間に形成される。
前述したように、最低圧力部の圧力は、最も上流側に形成されている三角形状の部分の圧力よりも低い。そのため、図において矢印Ａｒ１で示すように、最も上流側に形成されている三角形状の部分から最低圧力部に向かって、圧力差による流れが生じる。したがって、このような部分に溝を作ってしまうと最低圧力部に流体が流れ込み、却って境界層の厚さが増してしまうこととなり、好ましくない。
【００２３】
以上説明したようなベーン２４の半径方向内側面２４ａからディフューザ２１の半径方向内側に向かうとともに、ベーン２４の半径方向内側面２４ａに対して略垂直方向に延在する溝２５，２５ａ、すなわち等圧線と交差する方向に溝２５，２５ａを設けることにより、図３に矢印Ａｒ２で示すように、ベーン２４の半径方向内側面２４ａから内方、すなわち、ベーン２４の半径方向内側面２４ａから離れていく方向、言い換えれば、圧力の高い側から圧力の低い側に、圧力差による流体の流れが生じる。この圧力差による流体の流れは、ベーン２４の半径方向内側面２４ａから遠ざかっていく際、このベーン２４の半径方向内側面２４ａの近傍に滞留する流体を一緒に引き連れてベーン２４の半径方向内側面２４ａから遠ざかっていくこととなる。言い換えれば、溝２５内を通過する流体の流れによりベーンの半径方向内側面２４ａの近傍に滞留する流体が吸い出される（エジェクタ効果）ようになるため、ベーン２４の半径方向内側面２４ａに形成された境界層の厚みを減少させることができて、ディフューザ２１における失速限界を低流量側に拡げることができるとともに、広い流量範囲にわたって安定して運転させることができるようになる。
【００２４】
また、溝２５，２５ａは、ベーン２４の前縁部に形成される最低圧力部よりも下流側で、かつスロート２６よりも上流側に設けられているので、主流がディフューザ２１のベーン２４間を通過していくときの運動エネルギーの損失を抑制することができ、効率の低減を抑制することができる。
したがって、ポンプに比べて運動エネルギーが大きい圧縮機にも適用することができる。
【００２５】
さらに、溝２５，２５ａの半径方向内側の一端が、ベーン２４の前縁ＬＥ１間を結ぶとともにインペラ１１の回転軸線Ｃから等しい距離に位置する線Ｌ１よりも半径方向外側に位置するように設けられているので、主流がディフューザ２１のベーン２４間を通過していくときの運動エネルギーの損失をさらに抑制することができ、効率の低減をより一層抑制することができる。
【００２６】
さらにまた、溝２５，２５ａの深さは、ベーン２４の前縁ＬＥ１から後縁に向かって漸次浅くなるように形成されており、溝２５，２５ａの内部に入り込んだ主流は、溝２５，２５ａの下流側の壁面と鋭角的に衝突した後、当該溝２５，２５ａの外に出ていくこととなるので、衝突による主流の圧力損失を最小とすることができ、効率の低減を抑制することができる。
【００２７】
図４に示すように、ベーン２４の半径方向内側面２４ａに、複数本（たとえば２１本）の第２の溝２７が設けられているとさらに好適である。
図４に示すように、これら第２の溝２７は各溝２５，２５ａに対してそれぞれ３本ずつ設けられている。また、各第２の溝２７はベーン２４の高さ方向における略中央部からシュラウド側壁面２２に向かって真っ直ぐに延びるとともに、ベーン２４の中央部側に位置する第２の溝２７の端部がシュラウド側壁面２２の側に位置する第２の溝２７の端部よりもベーン２４の前縁ＬＥ１側に位置するように形成されている。
このような第２の溝２７を設けることにより、半径方向内側面２４ａの近傍に滞留する流体がこれら第２の溝２７の内部を通って溝２５，２５ａに効率よく導かれることとなるので、境界層の厚みをさらに減少させることができて、ディフューザ２１における失速限界を低流量側にさらに拡げることができるとともに、より広い流量範囲にわたって安定して運転させることができるようになる。
【００２８】
なお、図３および図４では、図面を簡略化するため溝２５を１つしか示していないが、本来これらは図１に示すように、各ベーン２４に対して７つずつ設けられている。
【００２９】
今まで述べてきた実施形態では、溝２５，２５ａを、ハブ側壁面２３に比べて境界層の厚さが厚くなるシュラウド側壁面２２の側に設けるようにしているが、本発明はこれに限定されるものではなく、ハブ側壁面２３側のみ、あるいはシュラウド側壁面２２およびハブ側壁面２３の両方に設けるようにすることもできる。
【００３０】
上述した実施形態では、遠心圧縮機を例に挙げて説明したが、本発明はこれに限定されるものではなく、たとえば、遠心ポンプ、斜流圧縮機、斜流ポンプなどの遠心式流体機械にも同様に適用され得るものである。
【図面の簡単な説明】
【００３１】
【図１】本発明による遠心式流体機械の一実施形態を示す図であって、ハブ側壁面からシュラウド側壁面を見た、ディフューザの入り口部分を示す要部拡大平面図である。
【図２】本発明による遠心式流体機械の一実施形態を示す図であって、（ａ）は図１のＩＩ−ＩＩ矢視断面図、（ｂ）は（ａ）の円Ａで囲む部分を拡大した要部拡大図である。
【図３】本発明による遠心式流体機械の一実施形態を示すベーン前縁部を拡大した要部拡大図である。
【図４】ベーンの半径方向内側面に溝を設けた例を示す図であって、ハブ側壁面からシュラウド側壁面を見た、ディフューザの入り口部分を示す要部斜視図である。
【図５】本発明による遠心式流体機械の一実施形態を示す概略縦断面図である。
【符号の説明】
【００３２】
１０    遠心圧縮機（遠心式流体機械）
１１    インペラ
１２    ブレード
１３    ハブ
２１    ディフューザ
２２    シュラウド側壁面
２３    ハブ側壁面
２４    ベーン
２４ａ  半径方向内側面
２５    溝
２５ａ  溝
２６    スロート
２７    第２の溝
Ｃ      回転軸線
ＬＥ１  前縁
Ｒ      根本部
【図１】
2005226568.tif 000003
【図２】
2005226568.tif 000004
【図３】
2005226568.tif 000005
【図４】
2005226568.tif 000006
【図５】
2005226568.tif 000007